(57)【要約】【課題】直流ランプ電流にパルス電流を重畳することによりアークの安定化を図ると同時に所定セグメントに同期させてパルス電流を直流ランプ電流に重畳させ、これによりフリッカの抑圧と階調乱れの最小化との両立が可能な投射型システムの作動方法を提供することを目的とする。【解決手段】直流点灯された高圧放電灯（１）から照射された光（Φ）を複数に分割されたカラーセグメント（３ａ）…に順次通して画像をスクリーン（７）に投射する投射型システムの作動方法であって、少なくとも一つの特定のカラーセグメントに同期して高圧放電灯（１）の直流ランプ電流（Ｒ）にパルス電流（Ｐ）を重畳するようにしたことを特徴とする。【選択図】    図１
2004212890.tif 000002
【特許請求の範囲】
【請求項１】
直流点灯された高圧放電灯から照射された光を、カラーフィルタを複数に分割したカラーセグメントに順次通して画像をスクリーンに投射する投射型システムの作動方法であって、少なくとも一つの特定のカラーセグメントに同期して高圧放電灯の直流ランプ電流にパルス電流を重畳するようにしたことを特徴とする投射型システムの作動方法。
【請求項２】
高圧放電灯から照射された光を、カラーフィルタを複数に分割したカラーセグメントに順次通して画像をスクリーンに投射する投射型システムであって、高圧放電灯と、該高圧放電灯に直流ランプ電流を供給すると共に該直流ランプ電流に周期的にパルス電流を重畳して点灯させる直流点灯手段とで構成され、該パルス電流を少なくとも一つの特定のカラーフィルタに同期して重畳するようにしたことを特徴とする投射型システム。
【請求項３】
該カラーフィルタは回転可能なカラーホイールを色分割して形成された分割セグメントにそれぞれ形成されている事を特徴とする請求項１又は２に記載の投射型システムとその作動方法。
【請求項４】
該カラーフィルタは赤、緑、青、白の４色の分割セグメントで構成され、該パルス電流が白セグメントの範囲内で重畳される事を特徴とする請求項１〜３のいずれかに記載の投射型システムとその作動方法。
【請求項５】
該カラーフィルタは赤、緑、青、の３色の分割セグメントで構成され、該パルス電流が赤セグメントの範囲内で重畳される事を特徴とする請求項１〜３のいずれかに記載の投射型システムとその作動方法。
【請求項６】
高圧放電灯に供給されるパルス重畳電力が、高圧放電灯の定格電力の１％以上である事を特徴とする請求項１〜５のいずれかに記載の投射型システムとその作動方法。
【請求項７】
高圧放電灯に重畳されるパルス電流が
パルス電流の繰り返し周期（ｔｓ）を０．２ｍｓｅｃ〜２０ｍｓｅｃの範囲とし、
ランプ電流の平均電流値（Ｉｏ）に対するパルス電流の平均パルス高（Ｉｐ）の比（Ｉｐ／Ｉｏ）を０．１〜２の範囲とし、
ランプ電流の繰り返し周期（ｔｓ）に対するパルス電流のパルス幅（ｔｐ）の比（ｔｐ／ｔｓ）を０．００５〜０．５の範囲としたことを特徴とする請求項１〜６のいずれかに記載の投射型システムとその作動方法。
【発明の詳細な説明】
【０００１】
【発明の属する技術分野】
本発明は、カラーフィルタのような光学素子を搭載した投射型システムとその作動方法に関する。
【０００２】
【従来の技術】
プロジェクタのような公知の投射型システムとして特開２００２−４９０９７に記載の発明がある。これは米国特許第５６０８２９４（特表平１０‐５０１９１９）に記載されている発明、即ち、『交流ランプ電流（Ｃ）の各半サイクルの後の部分にパルス電流（ランプ電流の半周期の所定数分の１で発生させたランプ電流と同極性の電流パルス）を重畳することによりアークのフリッカを抑圧することができる』とする公知の高圧放電灯の交流点灯方法を応用するもので、このパルス電流を投射型システムに内蔵されているカラーフィルタの特定のカラーセグメントに同期して重畳させることにより、階調乱れの少ない最適な投射型システムを提供しようとするものである。なお、階調とは白→灰→黒へと変化する明度のデジタル的変化の段階（度合い）であり、これが乱れるとスクリーンに投影された映像の各カラーの明度も乱れることになる。
【０００３】
図３は前述の従来の交流ランプ電流（Ｃ）の波形とカラーフィルタに照射される光（Φ）の波形を説明する図であり、また、図５は交流ランプ（Ｃ）における電極とアークの状態を説明する図である。この種の投射型システムでは交流をランプ電流（Ｃ）とすることに起因する以下のような問題点があった。即ち、（ｉ）交流ランプ電流（Ｃ）の正の半サイクル（ｃ１）と負の半サイクル（ｃ２）で高圧放電灯内の電極（１ａ’）（１ｂ’）間における電子放出の向きが切り替わるためアーク（Ａ’）の輝点は（Ｋ１’）（Ｋ２’）の２ヶ所に発生する。即ち、アーク（Ａ’）の輝点（Ｋ１’）（Ｋ２’）は電極（１ａ’）（１ｂ’）の中点で発生せずいずれか一方の電極（１ａ’）又は（１ｂ’）の近くで発生する。それ故、交流点灯の場合、電流（Ｃ）の方向が切り替わるたびに輝点（Ｋ１’）（Ｋ２’）が交互に発生していることになる。即ち、電流（Ｃ）が正の半サイクル（Ｃ１）にて輝点（Ｋ１’）が、負の半サイクル（Ｃ２）にて輝点（Ｋ２’）が発生する。
【０００４】
このような状態において、両電極（１ａ’）（１ｂ’）は完全に同一のものでないため、電極（１ａ’）（１ｂ’）を流れる電流（Ｃ）の方向が切り替わるたびに電極（１ａ’）（１ｂ’）から放出される電子の状態も同一ではない。このことは、半サイクル（ｃ１）（ｃ２）毎に高圧放電灯から照射される光の状態が変わることを意味する。換言すれば、前記電子放出に起因して発生するカラーフィルタを照射する光（Φ）は正の半サイクル（ｃ１）と負の半サイクル（ｃ２）で正確には同じでなく、正の半サイクル（ｃ１）で発生する光と、負の半サイクル（ｃ２）で発生する光との間でΔΦの誤差が生じる。これはＤＭＤ（デジタルミラーデバイス）のような光学素子（４）を用いる投射型システムで階調みだれの原因になる。
【０００５】
（ｉｉ）しかも前述のように前記従来技術にあっては電流パルス重畳の後に極性の切り替わりがあるため、電流（Ｃ）の変化に合わせて光束変化の波形はアンダーシュート（Ｕ）を生じ複雑な波形となる。このような複雑に変化する光（Φ）を投射型システムに内蔵されたカラーフィルタの所要のカラーセグメントに投入するのであるから、前記光束変化を補正制御して所要の色バランスを得ることができるようにＤＭＤを制御しなければならない。
【０００６】
しかしながらパルス電流重畳部分の光束波形の変化は非常に複雑であり、しかも再現性に困難が伴うため、前述のような補正制御を行ったとしても、ＤＭＤを用いる投射型システムでは階調みだれを完全には解消し得ず、これが交流ランプを使用したときに現れる交流ランプ特有の階調みだれの原因であった。このように正の半サイクル（ｃ１）のパルス波形と負の半サイクル（ｃ２）のパルス波形は正確には同一にならないので、白以外の例えば赤のカラーセグメントに同期して交流点灯電流（Ｃ）に重畳した場合に特にその影響は大きくなる。
【０００７】
（ｉｉｉ）    加えて、従来の交流ランプ電流（Ｃ）にパルス電流（Ｐ）を重畳する方式の場合、フリッカ防止のためのパルス電流（Ｐ）の重畳位置は各半サイクル（ｃ１）（ｃ２）の後の部分に限定されるため、換言すればパルス電流（Ｐ）を任意の位置に重畳することができないためカラーフィルタの複数セグメント（３ａ）…に同期して重畳させることは困難である。これを無理に入れようとすると、正の半サイクル（ｃ１）と負の半サイクル（ｃ２）の波形が同一にならず、交流ランプ電流（Ｃ）に直流成分が生じることになり、高圧放電灯の寿命特性などに影響を及ぼすことが考えられ好ましくない。
【０００８】
【特許文献１】
特開２００２−４９０９７号公報
【特許文献２】
米国特許第５６０８２９４号公報（特表平１０‐５０１９１９号公報）
【０００９】
【発明が解決しようとする課題】
本発明は直流ランプ電流にパルス電流を重畳することによりアークの安定化を図ると同時に所定セグメントに（複数セグメントに同期させてパルス電流を重畳する場合も含む）同期させてパルス電流を直流ランプ電流に重畳させ、これによりアークジャンプに起因するフリッカの抑圧と階調乱れの最小化との両立が可能な投射型システムとその作動方法を提供することを目的とする。
【００１０】
【課題を解決するための手段】
「請求項１」は本発明にかかる投射型システムの作動方法に関し、「直流点灯された高圧放電灯（１）から照射された光（Φ）を、カラーフィルタ（３）を複数に分割したカラーセグメント（３ａ）…に順次通して画像をスクリーン（７）に投射する投射型システムの作動方法であって、少なくとも一つの特定のカラーセグメントに同期して高圧放電灯（１）の定常点灯のための直流ランプ電流（Ｒ）にパルス電流（Ｐ）を重畳するようにした」ことを特徴とする。
【００１１】
これによれば、高圧放電灯（１）を点灯するための電流（Ｒ）が直流であるため、どの時点でもパルス電流（Ｐ）を重畳することができ、それ故、交流ランプ電流（Ｃ）の場合では非常に困難であったが、１乃至複数の特定のカラーセグメント（３ａ）…に併せてパルス電流（Ｐ）を重畳することができる。
【００１２】
また、ランプ点灯電流（Ｒ）が直流であるため、交流をランプ電流（Ｃ）としていた場合には避けなかった前述の交流特有の階調みだれを解消することが出来ただけでなく、パルス電流（Ｐ）を重畳した場合でも電流波形は非常にシンプルで、電流波形の変化に合わせて光束変化の波形もアンダーシュートのない非常にシンプルな波形となる。それ故、前記光束変化に伴う補正制御も非常に簡単になり階調みだれを最小限に制御することができた。
【００１３】
「請求項２」は、前記方法を実施するための投射型システムに関し、「高圧放電灯（１）から照射された光（Φ）を、カラーフィルタ（３）を複数に分割したカラーセグメント（３ａ）（３ｂ）…に順次通して画像をスクリーン（７）に投射する投射型システムであって、高圧放電灯（１）と、該高圧放電灯（１）に直流ランプ電流（Ｒ）を供給すると共に該直流ランプ電流（Ｒ）に周期的にパルス電流（Ｐ）を重畳して点灯させる直流点灯手段（５）とで構成され、該パルス電流（Ｐ）を少なくとも一つの特定のカラーセグメントに同期して重畳するようにした」ことを特徴とするもので、前記方法を実施することができる。
【００１４】
【発明の実施の形態】
以下、本発明を図示実施例に従って詳述する。図１は本発明の投射型システムの一実施例である。ここでは、例えば６０Ｈｚのビデオ映像による投射型システムを例にとる。勿論、本発明はこれに限られるものではない。本システムでは光源（Ｅ）としてリフレクタ（２）に装着され、直流点灯手段（５）から供給される直流ランプ電流（Ｒ）によって点灯される高圧放電灯（１）が用いられ、高圧放電灯（１）から照射された光は直接或いはリフレクタ（２）に反射されて前方のカラーフィルタ（３）に照射される。
【００１５】
カラーフィルタ（３）の一例を示せば、可視光の波長を選択的に通過させる性質をもつダイクロイックフィルタで形成された赤、緑、青の３色のカラーセグメント（３ａ）（３ｂ）（３ｃ）或いはこれらに白のカラーセグメント（３ｄ）を追加した４色で分割構成された回転円盤で、その軸を中心に回転できるように構成され、カラーフィルタ駆動装置（８）にて一定速度で回転するように制御されている。例えばビデオ周波数が１フレーム６０Ｈｚの場合（１画面が毎秒６０回で変化していること）、これに対して例えばカラーフィルタ（３）が２倍の速度で回転するとすれば１２０Ｈｚで回転することになる。
【００１６】
光源（Ｅ）からの光（φ１）が定速で回転しているカラーフィルタ（３）の各セグメント（３ａ）（３ｂ）（３ｃ）…を時分割で順次照射すると、カラーフィルタ（３）の各セグメント（３ａ）（３ｂ）（３ｃ）…を通過した光（φ２）はそれぞれに対応した色の光、即ち順次赤、緑及び青或いはこれに加えて白となる。
【００１７】
また、前記カラーフィルタ（３）の各セグメント（３ａ）（３ｂ）（３ｃ）…を通過した光（φ２）は光学素子（４）の表面で反射して投影レンズ系（６）にてスクリーン（７）に映像を作成するのであるが、この時、光学素子（４）の表面で反射された光（φ３）はビデオ入力部（１３）からのビデオ情報を受信する光学素子駆動装置（１４）により光学素子（４）に供給されるビデオ情報に応じて変調される。
【００１８】
この時、前述のようにパルス電流（Ｐ）が重畳されることによって高圧放電灯（１）から照射される光（φ１）に変化が存在するが、ＤＭＤにて反射される際にこの光（φ２）の変化を補正して変調し、階調の乱れを最小限に抑制する。この点を更に説明する。
【００１９】
図２は本発明のパルス電流（Ｐ）を重畳した直流ランプ電流（Ｒ）の波形とカラーフィルタ（３）に照射される光（φ１）の波形を示す。カラーフィルタ（３）からの同期信号（Ｓ）が直流点灯手段（５）に入力され、この同期信号（Ｓ）に同期してパルス電流（Ｐ）を重畳した直流ランプ電流（Ｒ）が高圧放電灯（１）に供給される。
【００２０】
ランプ電流（Ｒ）が直流の場合、パルス電流（Ｐ）の重畳の後に極性の切り替わりがないため、光束変化の波形は基本的にアンダーシュート（Ｕ）のない単純な波形として現れる。従って、これを投射型システムに内蔵されたカラーフィルタ（３）の所要のカラーセグメント（３ａ）（３ｂ）（３ｃ）…に同期させて直流ランプ電流（Ｒ）にパルス電流（Ｐ）を重畳すると共にパルス電流（Ｐ）の重畳に起因する光束変化をＤＭＤで補正制御し、補正制御された光を反射することで所要の色バランスをとるのであるが、パルス電流（Ｐ）を重畳した部分の光束波形が単純でありまた周期的に再現性があるので、ＤＭＤを用いる投射型システムで階調みだれの原因になりにくい。特に白以外の例えば赤のカラーセグメント（３ａ）に挿入する場合においてもその影響はすくない。
【００２１】
図４は、直流ランプ電流（Ｒ）における電極とアークの状態を示す図で、直流ランプ（１）は従来例のような交流ランプとは異なり、ランプ内の電極（１ａ）（１ｂ）間の電子放出方向は常に一定であり、アーク（Ａ）が安定であればアーク（Ａ）の輝点（Ｋ）は基本的には固定されている。このような状態にあってはリフレクタ（２）との組み合わせでカラーフィルタ（３）へ照射される光束（φ１）は常に一定になる。従ってＤＭＤ（４）を用いる投射型システムで交流点灯特有の階調みだれは生じない。
【００２２】
なお、パルス電流（Ｐ）が同期して重畳されるカラーセグメント（３ａ）…については、ビジネス用プロジェクタの場合、白セグメント（３ｄ）に入れるのが一般的である。これは階調への影響が最も小さいとされているのと、映像の照度向上が図れる点で有利なことが挙げられる。これに対してホームシアター用プロジェクタの場合は映像の色合いが重視されるので、白セグメント（３ｄ）のない、赤、緑、青の３色カラーセグメント（３ａ）…を用いたカラーフィルタ（３）が一般的である。この場合は一般的には赤セグメント（３ａ）にパルス電流（Ｐ）を重畳配置する。これは通常高圧放電灯（１）の分光特性は赤成分が不足気味になるので、赤セグメント（３ａ）を通過する光束をパルス電流（Ｐ）によって強調することによりバランスの良い色調整ができるからである。
【００２３】
また、場合によっては２ヶ所、例えば白と緑セグメント（３ｄ）（３ｂ）にそれぞれ異なるパルス幅のパルス電流（Ｐ）を同期して重畳させてもよい。交流点灯とは異なり直流点灯は極性の切り替わりを気にする必要がないため、パルス電流（Ｐ）の重畳配置に自由度があり任意の位置に任意の幅で重畳することができるからである。
【００２４】
図２はパルス電流（Ｐ）を特定の１セグメントに同期して重畳する例を示す。重畳されるセグメントが白セグメント（３ｄ）の場合には、白セグメント（３ｄ）の占有率はカラーフィルタ（３）の１回転の１１％であるのが典型例であり、これを角度に直すと約４０度となる。カラーフィルタ（３）の回転数が１２０Ｈｚの場合、白セグメント（３ｄ）に重畳できる最大パルス幅（ｔｐ）は以下で計算できる；
（ｔｐ）＝（ｔｓ）×  （４０度／３６０度）      −  −  −  −  −  （式１）
ここで（ｔｓ）はパルス周期で、（ｔｓ）＝１／１２０Ｈｚである。
これより、白セグメント（３ｄ）に重畳できる最大パルス幅（ｔｐ）＝０．９ｍｓｅｃとなる。
【００２５】
次ぎに、直流ランプ電流（Ｒ）に重畳されるパルス電流（Ｐ）の電力についてであるが、高圧放電灯（１）に供給されるパルス重畳電力が、高圧放電灯（１）の定格電力の１％以上である事が好ましい。このような比較的わずかなパルス電流（Ｐ）を直流ランプ電流（Ｒ）に重畳するだけでアークジャンプを画期的に抑圧することができしかも即効性がある。そのメカニズムについては現時点では必ずしも明らかでないが、アーク発生起点である現アークスポットの温度が、重畳されたパルス電力によって周期的に高められ、他のスポットに移動しようとする前に現アークスポットでの電子放出が良好となり、その結果、アークの安定性が向上したものと考えられる。
【００２６】
実験の結果、高圧放電灯（１）に供給されるパルス重畳電力が、高圧放電灯（１）の定格電力の１％であれば、前述のアークジャンプに起因するフリッカの抑圧効果を十分達成できることがわかった。なお、好ましくは２〜７％（この場合ほぼ確実にフリッカ防止が達成できる。）であり最大２０％である。パルス重畳電力を高圧放電灯（１）の定格電力の２０％以上とした場合、定格電力に対してパルス重畳電力が過大となり、もはや主体がパルス点灯となり直流点灯でなくなる。このように本発明によれば、比較的僅かなパルス電流（Ｐ）でアーク（Ａ）の安定化が図れ、ＤＭＤを用いる投射型システムにおいて階調への影響が少ないシステムを構築することができる。
【００２７】
なお、特許公表平１０‐５０１９１９には、交流の矩形ランプ電流（Ｃ）の各半サイクル（ｃ１）（ｃ２）の後半部分においてパルス電流（Ｐ）を重畳することによって放電アーク（Ａ）のフリッカを抑圧することができることが記述されている。しかしながらこの場合の点灯方式は交流方式であり本発明のような直流方式とは点灯方式で異なり、それ故フリッカ防止のメカニズムにおいても異なっている。
【００２８】
即ち、発明者らの実験によれば特表平１０‐５０１９１９に係るパルス電流（Ｐ）の重畳効果は、交流電極（１ａ’）（１ｂ’）先端の平坦な表面（＝凹凸のない球面部分あるいは平面部分）に顕著な突起が現れ、ここがアークスポットとなってアーク発生位置が固定され、アーク（Ａ）の安定化が図られる。このような適切な突起が形成されるまでの時間は交流電極（１ａ’）（１ｂ’）の形状にもよるが、２０分〜２時間であった。また、突起状となることでランプ電圧は初期から一度顕著な低下傾向（５〜２０Ｖ）を示した。
【００２９】
これに対して本発明にかかる直流点灯にあっては、電極先端が消耗・劣化して前記電極先端に平坦部分が増えたとしても、直流ランプ電流（Ｒ）に重畳されるパルス電流（Ｐ）によって電極先端に顕著な突起が現れる事ことなく、１０数秒後にはアーク（Ａ）は安定して一カ所のアークスポットから発生するようになる。また、電圧低下の傾向は基本的に見られず、ばらつきが出ても５Ｖ以内のものであり、従って、本発明の直流ランプ電流（Ｒ）にパルス電流（Ｐ）を重畳する方法は、そのメカニズムにおいて特表平１０‐５０１９１９とまったく異なるものであると言える。
【００３０】
次にパルス電流重畳条件に付いて検討する。パルス電流（Ｐ）の繰り返し周期（ｔｓ）を０．２ｍｓｅｃ〜２０ｍｓｅｃの範囲（理由は後述）とし、パルス波高値として、ランプ電流の平均電流値（Ｉｏ）に対するパルス電流（Ｐ）の平均パルス高（Ｉｐ）の比（Ｉｐ／Ｉｏ）を０．１〜２の範囲（理由は後述）とし、パルス電流（Ｐ）の繰り返し周期（ｔｓ）に対するパルス電流（Ｐ）の実行パルス幅（ｔｐ）の比（ｔｐ／ｔｓ）を０．００５〜０．５の範囲（理由は後述）とした。
【００３１】
図２はパルス電流波形の１例であるが、白セグメント（３ｄ）にパルス電流（Ｐ）を重畳する場合、前記カラーフィルタ（３）の条件により求めた（式１）を適用すると以下の値が導き出される。
パルス電流（Ｐ）の繰り返し周期（ｔｓ）＝８．３ｍｓｅｃ
パルス電流（Ｐ）の実行パルス幅（ｔｐ）＝０．９ｍｓｅｃ
（ｔｐ／ｔｓ）＝０．１０８
ここでパルスの波高値として（Ｉｐ／Ｉｏ）＝０．２を選択する。
発明者らの実験によると（Ｉｐ／Ｉｏ）＜０．１の場合、アークジャンプ抑圧効果はほとんど見られない。０．１＜（Ｉｐ／Ｉｏ）＜０．２の場合、アークジャンプ抑圧に効果が見えるが十分でなく、なお、アークジャンプが残る。（Ｉｐ／Ｉｏ）＞０．２の場合、アークジャンプ抑圧効果は大であった。従って、アークジャンプ抑圧効果が顕著になる最小値として（Ｉｐ／Ｉｏ）＝０．２を典型例としてここで採用した。
定格電力（Ｗｏ）に対するパルス重畳電力（Ｗｐ）の比（Ｗｐ／Ｗｏ）＝（Ｉｐ／Ｉｏ）×（ｔｐ／ｔｓ）、即ち、この例は前記比（Ｗｐ／Ｗｏ）＝０．２×０．１０８＝０．０２１６であり、約２％となる。なお、前記パルス電流の繰り返し周期（ｔｓ）は０．２ｍｓｅｃ〜２０ｍｓｅｃの範囲から選択した。
【００３２】
パルス電流（Ｐ）の繰り返し周期（ｔｓ）が２０ｍｓｅｃ以上になるとパルス重畳成分が少なくなってくるので、アークジャンプ抑圧効果が薄れてくる。また、音響共鳴の影響を避ける事が出来る範囲が５ｋＨｚ以下（＝１／５０００）である。これをパルス電流の繰り返し周期（ｔｓ）にすると、０．２ｍｓｅｃ（＝１／５０００）〜２０ｍｓｅｃ（＝１／５０）となる。即ち、パルス電流の繰り返し周期を０．２ｍｓｅｃ〜２０ｍｓｅｃとすることで直流電流にパルス電流を重畳した場合でも音響共鳴の影響を避ける事が出来、アークジャンプ抑圧効果も維持できしかも画像に悪影響が出ないようにすることができる。
【００３３】
また、直流ランプ電流（Ｒ）の平均電流値（Ｉｏ）に対するパルス電流（Ｐ）の平均パルス高比（Ｉｐ／Ｉｏ）を０．１以上としたのは、０．１以下では重畳パルス電力が過小であるためアークジャンプ抑圧効果が急激に低下してしまうからである。前記平均パルス高比（Ｉｐ／Ｉｏ）が２以上の場合では、点灯装置の動作電流が過大となり過ぎる。従って、ランプ電流の平均電流値（Ｉｏ）に対するパルス電流の平均パルス高比（Ｉｐ／Ｉｏ）を０．１〜２とすることで、アークジャンプのない定常点灯が可能となる。
【００３４】
更に、パルス電流（Ｐ）の繰り返し周期（ｔｓ）に対するパルス電流（Ｐ）の実効パルス幅（ｔｐ）の比（ｔｐ／ｔｓ）の最小値（０．００５）は、繰り返し周期（ｔｓ）が前述のように最大の２０ｍｓｅｃの場合でパルス幅（ｔｐ）の最小値（このパルス幅（ｔｐ）は点灯装置の応答逮度から実現可能な最小値に相当する。）が（ｔｐ）＝０．１ｍｓｅｃであるため、０．１ｍｓｅｃ／２０ｍｓｅｃ）から導き出される。逆に前記平均パルス高比（Ｉｐ／Ｉｏ）を最大の２とすると、パルス重畳電力は（Ｗｐ／Ｗｏ）＝０．０１、即ち、１％となっている。ここで（Ｗｐ／Ｗｏ）＝（Ｉｐ／Ｉｏ）×（ｔｐ／ｔｓ）である。一方、最大値はパルス重畳電流の取りうる最大デューティ０．５まで有効である。
【００３５】
以上のように、前記３条件を満足するように重畳されるパルス電流条件を設定すれば光学システムの画像に影響を及ぼさない状態でアークジャンプを確実に抑圧することができる。
【００３６】
【発明の効果】
以上説明したように、本発明によれば、直流ランプ電流にパルス電流を重畳することで高圧放電灯のアークを安定に保ち、アークジャンプを抑圧する事が出来るという高圧放電灯の点灯方法を応用し、このパルス電流を投射型システムのカラーフィルタの少なくとも一つの特定のカラーセグメントに同期して重畳することにより、階調乱れを極小化できる最適な投射型システムを提供する事ができる。
【図面の簡単な説明】
【図１】本発明のブロック図
【図２】本発明のパルス電流重畳直流ランプ電流の電流波形と放電灯から照射された光との関係を示す図面
【図３】従来例のパルス電流重畳交流ランプ電流の電流波形と放電灯から照射された光との関係を示す図面
【図４】直流点灯時のアークと輝点の発生状況を示す正面図
【図５】交流点灯時のアークと輝点の発生状況を示す正面図
【符号の説明】
（Ｅ）…光源
（Ｒ）…直流ランプ電流
（Ｐ）…パルス電流
（Φ）…光源から照射された光
（１）…高圧放電灯
（２）…リフレクタ
（３）…カラーフィルタ
（３ａ）（３ｂ）（３ｃ）（３ｄ）…カラーセグメント
（４）…光学素子（ＤＭＤ）
（５）…直流点灯手段
（６）…投映レンズ系
（７）…スクリーン
【図１】
2004212890.tif 000003
【図２】
2004212890.tif 000004
【図３】
2004212890.tif 000005
【図４】
2004212890.tif 000006
【図５】
2004212890.tif 000007